(57)【要約】【課題】ヘルメット本体に対して簡易に着脱可能なヘルメット用カバーを提供すること。【解決手段】ヘルメット本体内周面に設けた取付部材に面ファスナ機構によって絡着される緩衝パッドを前記取付部材表面に着脱可能に装着したヘルメットを被覆するヘルメット用カバーにおいて、布地乃至シート材を該ヘルメット本体外周面を被包可能な略半球形状に形成してなるカバー本体と、該カバー本体の略環状裾部から垂設した帯片とを備え、該帯片は前記取付部材及び緩衝パッドに対して面ファスナ機構によって絡着されること。【選択図】図２
0003132412.tif 000002
【実用新案登録請求の範囲】
【請求項１】
ヘルメット本体内周面に設けた取付部材に面ファスナ機構によって絡着される緩衝パッドを前記取付部材表面に着脱可能に装着したヘルメットを被覆するヘルメット用カバーにおいて、布地乃至シート材を該ヘルメット本体外周面を被包可能な略半球形状に形成してなるカバー本体と、該カバー本体の略環状裾部から垂設した帯片とを備え、該帯片は前記取付部材及び緩衝パッドに対して面ファスナ機構によって絡着されることを特徴とするヘルメット用カバー。
【請求項２】
緩衝パッドは、少なくとも２個以上を装着した請求項１のヘルメット用カバー。
【請求項３】
帯片は、面ファスナの少なくとも雄部材又は雌部材からなる請求項１又は請求項２のヘルメット用カバー。
【請求項４】
帯片の上下、左右、或いは斜め半分が面ファスナの雄部材からなり、他の半分が雌部材からなる請求項１〜請求項３のヘルメット用カバー。
【考案の詳細な説明】
【技術分野】
【０００１】
本考案は軍用、スポーツ用、作業用などのヘルメットを被覆するヘルメット用カバーに関し、特にヘルメット着用者の頭部の大きさや形状に応じた適宜の緩衝パッドを本体内周面に取付可能なヘルメットに装着して好適なヘルメット用カバーに関するものである。
【背景技術】
【０００２】
従来より建設現場や坑内等の各種工事現場における作業者、二輪車や四輪車の運転者、フィールドスポーツやマリーンスポーツの競技者、或いは陸海空軍における戦闘員や教育・実動訓練員については、衝突による頭部打撃及び外傷等を軽減するためのヘルメットの装着が推奨され、又は義務付けられている。
【０００３】
中でも軍用ヘルメットは、戦地等における砲弾の破片や銃弾、或いは戦車や装甲車内の突起物などから人間の頭部を保護することを目的としているため、第一次大戦期はシェル部分の素材として鋼鉄が使用されており、また旧日本軍のヘルメット帽体においてはクロームモリブデン鋼が用いられるなど当時からきわめて高性能で重厚なものであった。
【０００４】
その後、軍用ヘルメットは芳香族ポリアミド系樹脂を素材としてパラフェニレンジアミンとテレフタル酸クロリドを重合させたケブラー等の繊維層にフェノール樹脂を含浸させて成形されるに至り、その結果同重量の鋼鉄製ヘルメットよりもさらに大きな衝撃に耐えうるものとなった。戦闘機やヘリコプター乗員の装着するヘルメットについては、主にグラスファイバなどの繊維物質をプラスチック中に混入した繊維強化プラスチック（FRP）を素材として形成されるようになり安価、軽量で耐久性にも優れるものとなった。
【０００５】
一方、第二次大戦期は敵の眼を欺くために軍用ヘルメットにネット部材を被装しこれに木の枝や草を挿すなどして偽装を行ったが、やがて迷彩服の着用が主流になると、ヘルメットの上から迷彩服と同様の柄のカバー材を被覆して迷彩効果を施すのが一般的となった。
【０００６】
然し乍ら、ケブラー等のヘルメット素材は概してアルカリ性条件下乃至は塩素、紫外線等に晒されると化学分解してしまうため経年劣化を否定できない。特に、貼着乃至は縫設等によりカバー材を被装したヘルメットを着用した場合、屋外訓練等での使用に際し河川水や雨露、或いは機械油などを受けたカバー材をそのまま長期間ヘルメット本体へ接触した状態にしておくことがヘルメットの劣化を促進させる虞があり、万一の場合、ヘルメットが破損乃至裂損してしまうことが懸念される。かかる危険は前述のスポーツ用、作業用などのヘルメットについても同様である。
【考案の開示】
【考案が解決しようとする課題】
【０００７】
そこで本考案は従来のヘルメット用カバーが有する上記の不具合に鑑み、ヘルメット本体に対して簡易に着脱可能なヘルメット用カバーを提供することを課題とする。
【課題を解決するための手段】
【０００８】
上記課題を解決することを目的としてなされた本考案ヘルメット用カバーは、ヘルメット本体内周面に設けた取付部材に面ファスナ機構によって絡着される緩衝パッドを前記取付部材表面に着脱可能に装着したヘルメットを被覆するヘルメット用カバーにおいて、布地乃至シート材を該ヘルメット本体外周面を被包可能な略半球形状に形成してなるカバー本体と、該カバー本体の略環状裾部から垂設した帯片とを備え、該帯片は前記取付部材及び緩衝パッドに対して面ファスナ機構によって絡着されることを特徴とするものである。また本考案は上記構成において緩衝パッドは、少なくとも２個以上を装着し、或いは帯片を面ファスナの少なくとも雄部材又は雌部材で形成し、さらに帯片の上下、左右、或いは斜め半分が面ファスナの雄部材からなり、他の半分が雌部材からなるよう構成することができる。
【考案の効果】
【０００９】
本考案ヘルメット用カバーは、ヘルメットに対してカバー本体を着脱自在に被装しうるため、使用毎に簡易に取外して洗浄・乾燥することができる。また、帯片は面ファスナの少なくとも雄部材又は雌部材で形成されるので取付部材或いは緩衝パッドに絡着されヘルメットから剥落し難く、さらに帯片の上下、左右、或いは斜め半分が面ファスナの雄部材、他の半分が雌部材からなるように形成すると該帯片は取付部材と緩衝パッドの双方に絡着されるので、ヘルメット用カバーをヘルメットに対してより強固に挟着することができると共に、本考案ヘルメット用カバーは、カバー本体の環状裾部から垂設された紐部材によってヘルメットへ締着する従来型ヘルメットカバーにおいて該紐部材の結び目がヘルメット着用者の頭部に違和感を与え集中力の欠如から不慮の事後を引起こすきっかけとなり兼ねなかったところ、かかる不具合についても回避できる。この結果、スポーツ、工事現場作業、軍事訓練等でのヘルメット使用に際して受けた河川水や雨露などの水分或いは油分等を含んだカバー本体をそのまま被せておくことからヘルメット本体の劣化が進んだり、或いは紐部材の結び目が頭部に与える違和感に注意を殺がれたりして競技や訓練中に人体を危険にさらすといった事態は完全に防止できる。
【考案を実施するための最良の形態】
【００１０】
次に本考案ヘルメット用カバーの実施の形態例について図に拠り説明する。図１は本考案ヘルメット用カバーを装着したヘルメットを例示した分解斜視図、図２は本考案ヘルメット用カバーをヘルメットに被装する態様を例示した斜視図、図３は本考案ヘルメット用カバーを被装されるヘルメットである。
【００１１】
図１において、１は本考案に係るヘルメット用カバーの一例であって、ヘルメット本体Hの外周面ｃに適合してこれを被包可能な略半球形状に形成された布地からなるカバー本体Bと、該カバー本体Bの下方において略環状形状をなす環状裾部ｈから垂設した帯片ｂとを備えている。
【００１２】
帯片ｂは面ファスナ部材から形成され、本実施例においては、正面視左半分の領域を面ファスナ雄部材ｍで、右半分を面ファスナ雌部材ｆによって構成している。
【００１３】
本考案ヘルメット用カバー１を装着するヘルメット本体Hには、ヘルメット着用者の頭部の形状に合わせて一の乃至は複数の緩衝パッドｐを適宜配置できるよう面ファスナ機構を用いた取付部材ｔが内周面ｉに沿って配設されている。緩衝パッドｐについても、面ファスナ機構によって取付部材ｔに絡着されるよう面ファスナ部材乃至は不織布等の適宜部材によってその表面を形成している。また、本考案ヘルメット用カバー１を、複数個の緩衝パッドｐを有するヘルメット本体Ｈに適用したときは各帯片ｂの着脱に際して該帯片ｂに対応する緩衝パッドｐだけを取外して挟着すれば済むためヘルメット用カバー１の着脱が更に容易となる。
【００１４】
本考案ヘルメット用カバー１をヘルメット本体Ｈに被装するに際しては、図２に示すように、ヘルメット本体Ｈをカバー本体Ｂですっぽりと覆いながら帯片ｂをヘルメット本体Ｈの内側に折曲げると共に、ヘルメット本体Ｈの内周面ｉに配設した取付部材ｔと該取付部材ｔに絡着される緩衝パッドｐによってこの帯片ｂを挟持するように、取付部材ｔに対して該帯片ｂをあてがいつつその上から緩衝パッドｐを取付けてゆく。
【００１５】
このとき、帯片ｂの素材が面ファスナ部材であれば前記取付部材ｔ又は緩衝パッドｐの何れかに対し絡着されて挟着されることになる。本実施例における帯片ｂは、上述の通り、左半分を面ファスナ雄部材ｍで、右半分を面ファスナ雌部材ｆによって構成されているため、取付部材ｔと緩衝パッドｐとによって挟着されたときは必ず当該取付部材ｔ及び緩衝パッドｐの両方に対して絡着されることになり、より確実にヘルメット用カバー１をヘルメット本体Ｈに被装することができる。また、図示しない従来型のヘルメットカバーにおいては、カバー本体の環状裾部から垂設された紐部材によってヘルメット本体Ｈへ締着されていたところ、該紐部材の結び目がヘルメット着用者の頭頂部や側頭部に違和感を与え不慮の事後を引起こすきっかけとなり兼ねなかったが、本考案ヘルメット用カバー１は上記構成を備える帯片ｂを配設することでかかる不具合を完全に回避している。
【００１６】
本考案ヘルメット用カバー１は、面ファスナ機構によりヘルメット本体Ｈに被装するため簡易に着脱可能であり、ヘルメット本体Ｈから頻繁に取外して洗浄・乾燥させることができヘルメットの劣化を抑制できると共に、衛生面においても優れた効果を奏するものである。
【産業上の利用可能性】
【００１７】
本考案は以上の通りであって、ヘルメットに対してカバー本体を着脱自在に被装しうるため、使用毎に簡易に取外して洗浄・乾燥することができ、また、帯片は面ファスナの少なくとも雄部材又は雌部材で形成されるので取付部材或いは緩衝パッドに絡着されヘルメットから剥落し難く、さらに帯片の上下、左右、或いは斜め半分が面ファスナの雄部材、他の半分が雌部材からなるように形成すると該帯片は取付部材と緩衝パッドの双方に絡着するので、ヘルメット用カバーはヘルメットに対しより強固に挟着されることとなると共に、本考案ヘルメット用カバーは、カバー本体の環状裾部から垂設された紐部材によってヘルメット本体Ｈへ締着する従来型ヘルメットカバーにおいて該紐部材の結び目がヘルメット着用者の頭部に違和感を与え集中力の欠如から不慮の事後を引起こすきっかけとなり兼ねなかったところ、かかる不具合を回避でき、その結果として、スポーツ、工事現場作業、軍事訓練等でのヘルメット使用に際して受けた河川水や雨露などの水分或いは油分等を含んだカバー本体をそのまま被せた状態にしておくことからヘルメット本体の劣化が進んだり、或いは紐部材の結び目が頭部に与える違和感に注意を殺がれたりして競技や訓練中に人体を危険にさらすといった事態は完全に防止できるという効果を有するからヘルメット用カバーに適用してきわめて有用である。
【図面の簡単な説明】
【００１８】
【図１】本考案ヘルメット用カバーを装着したヘルメットを例示した分解斜視図
【図２】本考案ヘルメット用カバーをヘルメットに被装する態様を例示した斜視図
【図３】本考案ヘルメット用カバーを被装されるヘルメット
【符号の説明】
【００１９】
１    ヘルメット用カバー
Ｂ    カバー本体
ｂ    帯片
ｈ    環状裾部
ｍ    面ファスナ雄部材
ｆ    面ファスナ雌部材
Ｈ    ヘルメット本体
ｃ    ヘルメット本体外周面
ｉ    ヘルメット本体内周面
ｔ    取付部材
ｐ    緩衝パッド
【図１】
0003132412.tif 000003
【図２】
0003132412.tif 000004
【図３】
0003132412.tif 000005